(57)【特許請求の範囲】
【請求項１】
画像データが記憶される画像データ記憶手段と、
前記画像データ記憶手段に設けられ、少なくとも所定の箱番号が予め付される複数のメモリボックスと、
受信画像データや読み込まれた画像データをファイル番号と共に前記メモリボックスに格納しておく格納手段と、
発呼側から指定された前記メモリボックスに格納されている画像データを発呼側に転送するように指示する転送命令を検出する転送命令検出手段と、
前記転送命令を検出した場合に、この転送命令の指定する箱番号に一致する箱番号が付された前記メモリボックスの画像データのファイル番号を送信ファイルとして設定する送信ファイル設定手段と、
前記送信ファイル設定手段により設定された送信ファイルが示すファイル番号の画像データをメモリ送信する送信手段と、
を備えたファクシミリ装置において、
前記転送命令の指定する箱番号の指定方法が有効か否か判断する判断手段と、
予め複数のメッセージデータが記憶されているメッセージデータ記憶手段と、
前記判断手段により前記転送命令の指定する箱番号の指定方法が有効でないと判断された場合に、前記メッセージデータ記憶手段より箱番号の指定方法が無効である旨の第１メッセージデータを選択すると共に、その選択されたメッセージデータに基づいてエラーメッセージの画像データを生成し、ファイル番号を付加して前記画像データ記憶手段に記憶するエラーメッセージデータ生成手段と、
を備え、
前記送信ファイル設定手段は、前記エラーメッセージデータ生成手段により生成されたエラーメッセージの画像データのファイル番号を送信ファイルとして設定することを特徴とするファクシミリ装置。
【請求項２】
前記転送命令を検出した場合において、前記判断手段は、また、この転送命令の指定する箱番号と一致する箱番号が付されたメモリボックスが有るか否かを判断する機能
を有し、
その判断手段によってこの転送命令の指定する箱番号と一致する箱番号が付されたメモリボックスが無いと判断された場合には、前記エラーメッセージデータ生成手段は、前記メッセージデータ記憶手段より指定する箱番号の付されたメモリボックスが無い旨の第２メッセージデータを選択すると共に、その選択されたメッセージデータに基づいてエラーメッセージの画像データを生成し、ファイル番号を付加して前記画像データ記憶手段に記憶し、
前記送信ファイル設定手段は、該エラーメッセージデータ生成手段により生成されたエラーメッセージの画像データのファイル番号を送信ファイルとして設定することを特徴とする請求項１に記載のファクシミリ装置。
【請求項３】
前記メモリボックスは、所定の暗証番号が付された親展ボックスを含み、前記転送命令を検出した場合において、この転送命令の指定する箱番号に一致する箱番号のメモリボックスが前記親展ボックスである時、前記判断手段は、さらに、その親展ボックスに付された暗証番号と転送命令の指定する暗証番号とが一致するか否かを判断する機能
を有し、
その判断手段によって暗証番号が一致しないと判断された場合には、前記エラーメッセージデータ生成手段は、前記メッセージデータ記憶手段より指定する暗証番号が一致しない旨の第３メッセージデータを選択すると共に、その選択されたメッセージデータに基づいてエラーメッセージの画像データを生成し、ファイル番号を付加して前記画像データ記憶手段に記憶し、
前記送信ファイル設定手段は、該エラーメッセージデータ生成手段により生成されたエラーメッセージの画像データのファイル番号を送信ファイルとして設定することを特徴とする請求項２に記載のファクシミリ装置。
【請求項４】
前記転送命令を検出した場合において、この転送命令の指定する箱番号のメモリボックスに画像データが格納されていない場合には、前記エラーメッセージデータ生成手段は、前記メッセージデータ記憶手段より指定する箱番号のメモリボックスに画像データが格納されていない旨の第４メッセージデータを選択すると共に、その選択されたメッセージデータに基づいてエラーメッセージの画像データを生成し、ファイル番号を付加して前記画像データ記憶手段に記憶し、
前記送信ファイル設定手段は、該エラーメッセージデータ生成手段により生成されたエラーメッセージの画像データのファイル番号を送信ファイルとして設定することを特徴とする請求項３に記載のファクシミリ装置。
【請求項５】
前記第１メッセージデータは、少なくとも前記箱番号の指定方法の説明を含むメッセージデータであることを特徴とする請求項４に記載のファクシミリ装置。
【請求項６】
前記第３メッセージデータは、少なくとも暗証番号の指定方法の説明を含むメッセージデータであることを特徴とする請求項５に記載のファクシミリ装置。
【請求項７】
前記第４メッセージデータは、少なくとも各メモリボックスの登録内容を含むメッセージデータであることを特徴とする請求項６に記載のファクシミリ装置。
【発明の詳細な説明】
【０００１】
【発明の属する技術分野】
本発明は、リモート情報取り出し機能を備えたファクシミリ装置に関し、特に、リモート情報取り出し時に発呼側の指定した箱番号と暗証番号に一致する箱番号と暗証番号が付されたボックスが無い場合や、一致するボックスが有っても画像データが格納されていない場合には、情報提供側の操作方法やデータ登録内容の一覧等の画像データを発呼側へ転送することにより、発呼側が、操作方法の誤りやデータの有無がエラーの原因で有ることを容易に知ることが可能なファクシミリ装置に関するものである。
【０００２】
【従来の技術】
従来より、ファクシミリ装置においては、画像データ記憶メモリに設けられたボックスに記憶されている画像データを発呼側に転送するリモート情報取り出し機能に関し各種提案がされている。
例えば、特開平８−１６８００９号公報に記載されたファクシミリ装置では、初期識別手順中の応答受信中にＤＴＭＦリモート開始コマンドを受信した場合に、ＤＴＭＦリモート制御手順へ移行するリモート手順移行手段と、上記ＤＴＭＦリモート制御手順内においてＤＴＭＦ信号を解析するＤＴＭＦ解析手段と、指定されたメモリボックスに画像を蓄積する蓄積手段と、メモリボックス内の画像を転送する画像転送手段と、蓄積あるいは受信画像を格納するためのメモリボックスを開設するメモリボックス開設手段とを有し、ＤＴＭＦリモート制御手順において、リモート指示された命令がメモリボックス内の画像の転送指示である場合に、ＤＴＭＦ信号内に格納されたＩＴＵ−Ｔに準拠したサブアドレスおよび／またはパスワードと一致するサブアドレスおよび／またはパスワードを所有するメモリボックスを確定し、ＤＴＭＦリモート制御手順終了後、当該メモリボックスの画像を転送する構成となっている。
これにより、ＤＴＭＦ命令で指示された命令がメモリボックス内の画像転送である場合、ＤＴＭＦリモート制御手順において、ＤＴＭＦ信号内に格納されたサブアドレス、パスワードと一致するサブアドレス、パスワードを所有するメモリボックスを確定し、ＤＴＭＦリモート制御手順終了後、メモリボックスの画像を転送することができる。
【０００３】
【発明が解決しようとする課題】
しかしながら、特開平８−１６８００９号公報に記載されたファクシミリ装置おいては、ＤＴＭＦ信号内に格納されたＩＴＵ−Ｔに準拠したサブアドレス、パスワードの桁数や使用可能キャラクタが受信側のファクシミリ装置によって異なる場合や、このサブアドレス、パスワードと一致するサブアドレス、パスワードを所有するメモリボックスに画像が記憶されていない場合には、エラーとなり、回線が開放されるため、情報取り出し側、即ち発呼側は、エラーの原因が回線障害なのかどうか知ることができないという問題がある。
【０００４】
そこで、本発明は、上述した問題点を解決するためになされたものであり、リモート情報取り出し時に発呼側の指定した箱番号と暗証番号に一致する箱番号と暗証番号が付されたボックスが無い場合や、一致するボックスが有っても画像データが格納されていない場合には、情報提供側の操作方法やデータ登録内容の一覧等の画像データを発呼側へ転送することにより、発呼側が、メモリボックスの指定方法の誤りや登録データの有無がエラーの原因で有ることを容易に知ることが可能なファクシミリ装置を提供することを目的とする。
【０００５】
【課題を解決するための手段】
前記目的を達成するため請求項１に係るファクシミリ装置は、画像データが記憶される画像データ記憶手段と、前記画像データ記憶手段に設けられ、少なくとも所定の箱番号が予め付される複数のメモリボックスと、受信画像データや読み込まれた画像データをファイル番号と共に前記メモリボックスに格納しておく格納手段と、発呼側から指定された前記メモリボックスに格納されている画像データを発呼側に転送するように指示する転送命令を検出する転送命令検出手段と、前記転送命令を検出した場合に、この転送命令の指定する箱番号に一致する箱番号が付された前記メモリボックスの画像データのファイル番号を送信ファイルとして設定する送信ファイル設定手段と、前記送信ファイル設定手段により設定された送信ファイルが示すファイル番号の画像データをメモリ送信する送信手段と、を備えたファクシミリ装置において、前記転送命令の指定する箱番号の指定方法が有効か否か判断する判断手段と、予め複数のメッセージデータが記憶されているメッセージデータ記憶手段と、前記判断手段により前記転送命令の指定する箱番号の指定方法が有効でないと判断された場合に、前記メッセージデータ記憶手段より箱番号の指定方法が無効である旨の第１メッセージデータを選択すると共に、その選択されたメッセージデータに基づいてエラーメッセージの画像データを生成し、ファイル番号を付加して前記画像データ記憶手段に記憶するエラーメッセージデータ生成手段と、を備え、前記送信ファイル設定手段は、前記エラーメッセージデータ生成手段により生成されたエラーメッセージの画像データのファイル番号を送信ファイルとして設定することを特徴とする。
【０００６】
このような特徴を有する請求項１に係るファクシミリ装置によれば、転送命令検出手段により転送命令を検出した場合に、この転送命令の指定する箱番号の桁数や使用キャラクタ等の間違いのため、この転送命令の指定する箱番号の指定方法が有効でないと判断された場合には、エラーメッセージデータ生成手段により箱番号の指定方法が無効である旨の第１メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の箱番号の指定方法が間違っていてエラーが発生した場合において、箱番号の指定方法が無効である旨のエラーメッセージの画像データが転送されてくるため、そのエラーの原因を知ることができる。
【０００７】
また、請求項２に係るファクシミリ装置は、請求項１に記載のファクシミリ装置において、前記転送命令を検出した場合において、前記判断手段は、また、この転送命令の指定する箱番号と一致する箱番号が付されたメモリボックスが有るか否かを判断する機能を有し、その判断手段によってこの転送命令の指定する箱番号と一致する箱番号が付されたメモリボックスが無いと判断された場合には、前記エラーメッセージデータ生成手段は、前記メッセージデータ記憶手段より指定する箱番号の付されたメモリボックスが無い旨の第２メッセージデータを選択すると共に、その選択されたメッセージデータに基づいてエラーメッセージの画像データを生成し、ファイル番号を付加して前記画像データ記憶手段に記憶し、前記送信ファイル設定手段は、該エラーメッセージデータ生成手段により生成されたエラーメッセージの画像データのファイル番号を送信ファイルとして設定することを特徴とする。
【０００８】
このような特徴を有する請求項２に係るファクシミリ装置によれば、請求項１に記載のファクシミリ装置において、転送命令検出手段により転送命令を検出した場合に、この転送命令の指定する箱番号と一致する箱番号が付されたメモリボックスが無いと判断された場合には、エラーメッセージデータ生成手段により、指定する箱番号の付されたメモリボックスが無い旨の第２メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の指定する箱番号のメモリボックスが無いためにエラーが発生した場合において、指定する箱番号の付されたメモリボックスが無い旨のエラーメッセージの画像データが転送されてくるため、そのエラーの原因を知ることができる。
【０００９】
また、請求項３に係るファクシミリ装置は、請求項２に記載のファクシミリ装置において、前記メモリボックスは、所定の暗証番号が付された親展ボックスを含み、前記転送命令を検出した場合において、この転送命令の指定する箱番号に一致する箱番号のメモリボックスが前記親展ボックスである時、前記判断手段は、さらに、その親展ボックスに付された暗証番号と転送命令の指定する暗証番号とが一致するか否かを判断する機能を有し、その判断手段によって暗証番号が一致しないと判断された場合には、前記エラーメッセージデータ生成手段は、前記メッセージデータ記憶手段より指定する暗証番号が一致しない旨の第３メッセージデータを選択すると共に、その選択されたメッセージデータに基づいてエラーメッセージの画像データを生成し、ファイル番号を付加して前記画像データ記憶手段に記憶し、前記送信ファイル設定手段は、該エラーメッセージデータ生成手段により生成されたエラーメッセージの画像データのファイル番号を送信ファイルとして設定することを特徴とする。
【００１０】
このような特徴を有する請求項３に係るファクシミリ装置によれば、請求項２に記載のファクシミリ装置において、転送命令検出手段により転送命令を検出した場合に、この転送命令の指定する箱番号と一致する箱番号が付されたメモリボックスが親展ボックスであって、その転送命令の指定する暗証番号がこの親展ボックスに付された暗証番号と一致しないと判断された場合には、エラーメッセージデータ生成手段により、転送命令の指定する暗証番号が一致しない旨の第３メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の指定する暗証番号が一致しないためにエラーが発生した場合において、指定する暗証番号が一致しない旨のエラーメッセージの画像データが転送されてくるため、そのエラーの原因を知ることができる。
【００１１】
また、請求項４に係るファクシミリ装置は、請求項３に記載のファクシミリ装置において、前記転送命令を検出した場合において、この転送命令の指定する箱番号のメモリボックスに画像データが格納されていない場合には、前記エラーメッセージデータ生成手段は、前記メッセージデータ記憶手段より指定する箱番号のメモリボックスに画像データが格納されていない旨の第４メッセージデータを選択すると共に、その選択されたメッセージデータに基づいてエラーメッセージの画像データを生成し、ファイル番号を付加して前記画像データ記憶手段に記憶し、前記送信ファイル設定手段は、該エラーメッセージデータ生成手段により生成されたエラーメッセージの画像データのファイル番号を送信ファイルとして設定することを特徴とする。
【００１２】
このような特徴を有する請求項４に係るファクシミリ装置によれば、請求項３に記載のファクシミリ装置において、転送命令検出手段により転送命令を検出した場合に、この転送命令の指定する箱番号と一致する箱番号が付されたメモリボックスに画像データが格納されていない場合には、エラーメッセージデータ生成手段により、転送命令の指定する箱番号のメモリボックスに画像データが格納されていない旨の第４メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の指定する箱番号が付されたメモリボックスに画像データが格納されていないためにエラーが発生した場合において、指定する箱番号のメモリボックスに画像データが格納されていない旨のエラーメッセージの画像データが転送されてくるため、そのエラーの原因を知ることができる。
【００１３】
また、請求項５に係るファクシミリ装置は、請求項４に記載のファクシミリ装置において、前記第１メッセージデータは、少なくとも前記箱番号の指定方法の説明を含むメッセージデータであることを特徴とする。
【００１４】
このような特徴を有する請求項５に係るファクシミリ装置によれば、請求項４に記載のファクシミリ装置において、前記第１メッセージデータは、少なくとも前記箱番号の指定方法の説明を含むメッセージデータであるため、発呼側は、転送命令の箱番号の指定方法が間違っていてエラーが発生した場合において、そのエラーの原因を知ることができると共に、箱番号の桁数や使用可能キャラクタ等の指定方法の正確な情報を得ることができるため、箱番号の指定方法の誤り箇所を修正することができると共に、当該ファクシミリ装置から希望するメモリボックスに記憶されている画像データを確実に得ることができる。
【００１５】
また、請求項６に係るファクシミリ装置は、請求項５に記載のファクシミリ装置において、前記第３メッセージデータは、少なくとも暗証番号の指定方法の説明を含むメッセージデータであることを特徴とする。
【００１６】
このような特徴を有する請求項６に係るファクシミリ装置によれば、請求項５に記載のファクシミリ装置において、前記第３メッセージデータは、少なくとも暗証番号の指定方法の説明を含むメッセージデータであるため、発呼側は、転送命令の指定した親展ボックスの暗証番号の桁数等が間違っている場合において、当該ファクシミリ装置の親展ボックスに付された暗証番号の桁数や使用可能キャラクタ等に関する正確な情報を得ることができるため、転送命令の指定する親展ボックスの暗証番号を修正することができると共に、希望する親展ボックスに格納されている画像データを確実に得ることができる。
【００１７】
さらに、請求項７に係るファクシミリ装置は、請求項６に記載のファクシミリ装置において、前記第４メッセージデータは、少なくとも各メモリボックスの登録内容を含むメッセージデータであることを特徴とする。
【００１８】
このような特徴を有する請求項７に係るファクシミリ装置によれば、請求項６に記載のファクシミリ装置において、前記第４メッセージデータは、少なくとも各メモリボックスの登録内容を含むメッセージデータであるため、発呼側は、転送命令の指定する箱番号と一致する箱番号が付されたメモリボックスに画像データが格納されていないことを知ることができると共に、各メモリボックスの登録内容等の正確な情報を得ることができるため、希望する画像データが格納されているメモリボックスの箱番号等を正確に指定することができる。
【００１９】
【発明の実施の形態】
以下、本発明に係るファクシミリ装置について具体化した実施形態に基づいて図面を参照しつつ詳細に説明する。先ず、本実施形態に係るファクシミリ装置の概略構成について図１に基づき説明する。図１は本実施形態に係るファクシミリ装置の要部の回路ブロック図である。
【００２０】
図１において、ファクシミリ装置の概略回路構成は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、及び表示部１４等を備えている。ＣＰＵ１、ＮＣＵ２、ＲＡＭ３、モデム４、ＲＯＭ５、ＥＥＰＲＯＭ６、ゲートアレイ７、コーデック８、及びＤＭＡＣ９は、バス線により相互に接続されている。また、ゲートアレイ７には、読取部１１、記録部１２、操作部１３、及び表示部１４が接続されている。また、ＮＣＵ２には、モデム４、及び電話回線２１が接続されている。
【００２１】
ＣＰＵ１は、ファクシミリ装置全体を制御する。ＮＣＵ２は、電話回線２１に接続されて網制御を行う。ＲＡＭ３は、画像情報や音声データ等の各種ディジタルデータを一時記憶するものであり、受信された親展の画像データや読取部１１で読み取られた親展の画像データが個々に記憶される複数のメモリボックスである親展ボックス３１からなる親展画像データ記憶エリア３Ａ、および受信された掲示板の画像データや読取部１１で読み取られた掲示板の画像データが個々に記憶される複数のメモリボックスである掲示板ボックス３２からなる掲示板画像データ記憶エリア３Ｂ等が設けられている。
また、モデム４は、送信データの変調や受信データの復調等を行う。ＲＯＭ５は、ファクシミリ機能等を実行するのに必要な各種プログラムやデータ等を記憶している。ＥＥＰＲＯＭ６は、複数のメッセージデータ、各種の登録データ、および各種のフラッグ等を記憶している。ゲートアレイ７は、ＣＰＵ１の入出力インターフェースとして機能する。コーデック８は、モデム４により復調された受信画像データを復号し、また、送信画像データを符号化してモデム４に送り、モデム４に変調させる。ＤＭＡＣ９は、ＲＡＭ３等へのメモリアクセスを制御する。読み取り部１１は、光源やＣＣＤセンサや原稿送りモータ等を備えており原稿を読み取って画像信号を出力する。記録部１２は、熱転写プリンタあるいはレーザプリンタ等からなり、画像データに基づいて記録用紙上に画像を記録する印字手段を構成する。操作部１３は、キースイッチ群等からなり、使用者の操作に応じた操作信号を出力する。さらに、表示部１４は、小型ＬＣＤ等からなり、ＣＰＵ１により制御されて各種の表示を行う表示手段を構成する。
【００２２】
また、ＣＰＵ１は、電話回線２１を介して入力されるファクシミリ通信の発呼側の転送命令を検出する転送命令検出手段を構成している。また、ＲＡＭ３は、画像データ記憶手段を構成し、親展画像データ記憶エリア３Ａの各親展ボックス３１は、後述する箱番号と暗証番号とが付されており、また、掲示板画像データ記憶エリア３Ｂの各掲示板ボックス３２は、後述する箱番号が付されている。
また、ＣＰＵ１は、電話回線２１を介して受信した画像データや読取部１１を介して読み込まれた画像データを指定された各メモリボックス３１、３２に格納する格納手段を構成する。さらに、ＣＰＵ１、コーデック９、モデム８、およびＮＣＵ２により画像転送手段を構成している。
また、ＥＥＰＲＯＭ６は、複数のメッセージデータが記憶されるメッセージデータ記憶手段を構成している。そして、ＣＰＵ１は、このメッセージデータに基づいて転送用データを設定する転送用データ設定手段を構成する。
【００２３】
次に、このように構成されたファクシミリ装置の転送命令受信時における、画像転送の処理について図２乃至図５に基づいて説明する。図２は本実施形態に係るファクシミリ装置の画像転送制御手順を示すメインフローチャートである。図３は本実施形態に係るファクシミリ装置の画像転送制御手順における箱番号チェック処理のサブフローチャートである。図４は本実施形態に係るファクシミリ装置の画像転送制御手順におけるエラーメッセージ処理のサブフローチャートである。図５は本実施形態に係るファクシミリ装置の箱番号が「０１」の掲示板ボックス３２に格納されている画像データの一例を示す図である。
【００２４】
先ず、図２に示されるように、ステップ（以下、Ｓと略記する）１において、ＮＣＵ２を介してファクシミリ通信の発呼側の転送命令が検出されると、この転送命令の「箱番号」と「暗証番号」と「転送先、即ち発呼側の電話番号」がＲＡＭ３に格納された後、箱番号チェック処理のサブルーチン処理が行われる。
ここで、本実施形態に係る発呼側の転送命令のフォーマットは、「スタートコード＋メモリボックスの箱番号（２０桁のアスキーコード）＋暗証番号（２０桁のアスキーコード）＋転送先の電話番号＋ストップコード」の形式となっている。尚、本実施形態においては、メモリボックスの箱番号の有効桁数は、３桁であり、使用可能キャラクタは、０〜９の数字である。また、暗証番号の有効桁数は、４桁であり、使用可能キャラクタは、＃、＊と０〜９の数字である。また、本実施形態のファクシミリ装置の親展ボックス３１の箱番号は、３桁の数字であり、また、掲示板ボックス３２の箱番号は０１〜９９の２桁の数字である。
【００２５】
箱番号チェック処理（Ｓ１）は、図３に示されるように、最初に転送命令の箱番号をＲＡＭ３から読み込み、この箱番号の有効桁数をチェックし、３桁以下の数字か否か判断する（Ｓ２１）。そして、この箱番号が３桁以下の数字の場合は（Ｓ２１：ＹＥＳ）、ＥＥＰＲＯＭ６に記憶されている箱番号有効フラッグをセット後、ＲＡＭ３に記憶されている転送命令の箱番号にこの３桁の数字を再度、代入して、メイン処理に戻る（Ｓ２２）。
また、箱番号の有効桁数が４桁以上の場合においては（Ｓ２１：ＮＯ）、４桁以上の有効桁が全て０で、且つ３桁以下が数字の場合は（Ｓ２３：ＹＥＳ）、ＥＥＰＲＯＭ６に記憶されている箱番号有効フラッグをセット後、ＲＡＭ３に記憶されている転送命令の箱番号にこの３桁の数字を再度、代入して、メイン処理に戻る（Ｓ２２）。
また、箱番号の有効桁数が４桁以上の場合において（Ｓ２１：ＮＯ）、４桁以上の有効桁が全て０で無い場合、または、３桁以下の数字でない場合は（Ｓ２３：ＮＯ）、ＥＥＰＲＯＭ６に記憶されている箱番号有効フラッグをリセット後、メイン処理に戻る（Ｓ２４）。
【００２６】
次に、図２に示されるように、箱番号有効フラッグをＥＥＰＲＯＭ６から読み込み、セットされているか否か判定する（Ｓ２）。そして、箱番号有効フラッグがセットされていない場合は（Ｓ２：ＮＯ）、ＥＥＰＲＯＭ６から箱番号の指定方法が無効である旨の第１メッセージデータを選択して、読み込む（Ｓ３）。この第１メッセージデータは、例えば、「箱番号の指定方法が無効です。」というメッセージデータである。
【００２７】
そして、エラーメッセージ処理（Ｓ４）のサブルーチン処理が行われる。エラーメッセージ処理（Ｓ４）は、図４に示されるように、最初に箱番号「０１」の掲示板ボックス３２の画像データが読み込まれる（Ｓ３１）。この画像データは、情報取り出し方法を表す画像データであり、その一例を図５に示す。
【００２８】
ここで、図５に示されるこの画像データについて説明する。箱番号が「０１」の掲示板ボックス３２に格納されている画像データ２０は、本実施形態のファクシミリ装置の情報取り出し方法に関するものである。先ず、「親展、掲示板の情報取り出し方法」と「親展、掲示板の登録内容」の見出しが設けられている。
そして、「親展、掲示板の情報取り出し方法」の見出しの下方には、「１．親展箱から情報を取り出す場合」と「２．掲示板から情報を取り出す場合」との小見出しが設けられている。そして、「１．親展箱から情報を取り出す場合」の小見出しの下方には、「箱番号（１０１〜１０５）と暗証番号（ＸＸＸＸ）を指定して下さい。」の文章が配置されている。また、「２．掲示板から情報を取り出す場合」の小見出しの下方には、「箱番号（０１〜９９）を指定して下さい。」の文章が配置され、この下方には、「※箱番号の使用可能キャラクタは、０〜９の数字です。」と「※暗証番号の使用可能キャラクタは、＃、＊と０〜９の数字です。」との文章が配置されている。
【００２９】
また、「親展、掲示板の登録内容」の見出しの下方には、「１．親展箱」と「２．掲示板」との小見出しが設けられている。そして、「１．親展箱」の小見出しの下方には、各親展箱の箱番号とこの親展箱の使用者名の一覧表２１が、記載されている。この一覧表２１は、「箱番号が１０１の親展ボックス３１の使用者は、山田」、「箱番号が１０２の親展ボックス３１の使用者は、鈴木」、「箱番号が１０３の親展ボックス３１の使用者は、田中」、「箱番号が１０４の親展ボックス３１の使用者は、佐藤」、および「箱番号が１０５の親展ボックス３１の使用者は、山本」であることを表している。
【００３０】
また、「２．掲示板」の小見出しの下方には、各掲示板ボックス３２の箱番号と登録内容の一覧表２２が、記載されている。この一覧表２２は、「箱番号が０１の掲示板ボックス３２の内容は、情報取り出し方法」、「箱番号が０２の掲示板ボックス３２の内容は、新製品情報」、「箱番号が０３の掲示板ボックス３２の内容は、バージョンアップ情報」、「箱番号が１１の掲示板ボックス３２の内容は、Ｆコードについて」、「箱番号が１２の掲示板ボックス３２の内容は、親展機能について」、および「箱番号が１３の掲示板ボックス３２の内容は、掲示板機能について」であることを表している。
【００３１】
次に、この箱番号「０１」の掲示板ボックス３２から読み込んだ画像データ２０の最初の部分に、前記第１メッセージデータを挿入して、エラーメッセージの画像データを作成し（Ｓ３２）、ＲＡＭ３に格納する（Ｓ３３）。そして、このＲＡＭ３に格納した画像データのファイル番号を送信ファイルに設定後、メインフローチャートに戻る（Ｓ３４）。その後、この送信ファイルのメモリ送信が設定される（Ｓ５）。
【００３２】
また、箱番号有効フラッグがセットされている場合は（Ｓ２：ＹＥＳ）、次に、ＲＡＭ３から転送命令の箱番号を読み込み、２桁の数字か否か、即ち、０１〜９９の数字か否か判定する（Ｓ６）。そして、この箱番号が０１〜９９の数字であった場合は（Ｓ６：ＹＥＳ）、掲示板ボックス３２の各箱番号に対応するファイル番号のデータを掲示板画像データ記憶エリア３Ｂから読み込み（Ｓ７）、この箱番号に一致する箱番号の掲示板ボックス３２に格納されている画像データのファイル番号が有るか否か判定する（Ｓ８）。そして、この掲示板ボックス３２に格納されているファイル番号が有れば（Ｓ８：ＹＥＳ）、この掲示板ボックス３２に格納されているファイル番号を選択して、送信ファイルとしてＲＡＭ３に格納する（Ｓ９）。その後、この送信ファイルのメモリ送信を設定する（Ｓ５）。
【００３３】
また、この掲示板ボックス３２に格納されているファイル番号が無ければ（Ｓ８：ＮＯ）、ＥＥＰＲＯＭ６から指定する箱番号のメモリボックスに画像データが格納されていない旨の第４メッセージデータを選択して、読み込む（Ｓ１０）。この第４メッセージデータは、例えば、「登録データはありません。」というメッセージデータである。
【００３４】
そして、前記エラーメッセージ処理（Ｓ４）のサブルーチン処理が行われ、箱番号が「０１」の掲示板ボックス３２の画像データが読み込まれる（Ｓ３１）。次に、この箱番号「０１」の掲示板ボックス３２から読み込んだ画像データ２０の最初の部分に、この第４メッセージデータを挿入して、エラーメッセージの画像データを作成し（Ｓ３２）、ＲＡＭ３に格納する（Ｓ３３）。そして、このＲＡＭ３に格納した画像データのファイル番号を送信ファイルに設定後、メインフローチャートに戻る（Ｓ３４）。その後、この送信ファイルのメモリ送信が設定される（Ｓ５）。
【００３５】
次に、ＲＡＭ３から読み込んだ転送命令の箱番号が、０１〜９９の２桁の数字でない場合は（Ｓ６：ＮＯ）、この箱番号が１０１〜１０５の数字か否か判定する（Ｓ１１）。そして、この箱番号が１０１〜１０５の数字でない場合は（Ｓ１１：ＮＯ）、ＥＥＰＲＯＭ６から指定する箱番号の付されたメモリボックスが無い旨の第２メッセージデータを選択して、読み込む（Ｓ１２）。この第２メッセージデータは、例えば、「指定箱番号のメモリボックスはありません。」というメッセージデータである。
【００３６】
そして、前記エラーメッセージ処理（Ｓ４）のサブルーチン処理が行われ、箱番号が「０１」の掲示板ボックス３２の画像データが読み込まれる（Ｓ３１）。次に、この箱番号「０１」の掲示板ボックス３２から読み込んだ画像データ２０の最初の部分に、この第２メッセージデータを挿入して、エラーメッセージの画像データを作成し（Ｓ３２）、ＲＡＭ３に格納する（Ｓ３３）。そして、このＲＡＭ３に格納した画像データのファイル番号を送信ファイルに設定後、メインフローチャートに戻る（Ｓ３４）。その後、この送信ファイルのメモリ送信が設定される（Ｓ５）。
【００３７】
また、ＲＡＭ３から読み込んだ転送命令の箱番号が、１０１〜１０５の数字の場合は（Ｓ１１：ＹＥＳ）、ＲＡＭ３から転送命令の暗証番号を読み込み、この暗証番号が、転送命令の箱番号と一致する箱番号が付された親展ボックス３１の暗証番号と一致するか否か判定する（Ｓ１３）。そして、転送命令の暗証番号が、この親展ボックス３１の暗証番号と一致しない場合には（Ｓ１３：ＮＯ）、ＥＥＰＲＯＭ６から指定する暗証番号が一致しない旨の第３メッセージデータを選択して、読み込む（Ｓ１４）。この第３メッセージデータは、例えば、「暗証番号が一致しません。」というメッセージデータである。
【００３８】
そして、前記エラーメッセージ処理（Ｓ４）のサブルーチン処理が行われ、箱番号が「０１」の掲示板ボックス３２の画像データが読み込まれる（Ｓ３１）。次に、この箱番号「０１」の掲示板ボックス３２から読み込んだ画像データ２０の最初の部分に、この第３メッセージデータを挿入して、エラーメッセージの画像データを作成し（Ｓ３２）、ＲＡＭ３に格納する（Ｓ３３）。そして、このＲＡＭ３に格納した画像データのファイル番号を送信ファイルに設定後、メインフローチャートに戻る（Ｓ３４）。その後、この送信ファイルのメモリ送信が設定される（Ｓ５）。
【００３９】
また、転送命令の暗証番号が、この親展ボックス３１の暗証番号と一致する場合には（Ｓ１３：ＹＥＳ）、親展ボックス３１の各箱番号に対応するファイル番号のデータを親展画像データ記憶エリア３Ａから読み込み（Ｓ１５）、転送命令の箱番号に一致する箱番号が付された親展ボックス３１に格納されている画像データのファイル番号が有るか否か判定する（Ｓ８）。そして、この親展ボックス３１に格納されているファイル番号が有れば（Ｓ８：ＹＥＳ）、この親展ボックス３１に格納されているファイル番号を選択して、送信ファイルとしてＲＡＭ３に格納する（Ｓ９）。その後、この送信ファイルのメモリ送信が設定される（Ｓ５）。
【００４０】
また、この親展ボックス３１に格納されているファイル番号が無ければ（Ｓ８：ＮＯ）、ＥＥＰＲＯＭ６から指定する箱番号のメモリボックスに画像データが格納されていない旨の第４メッセージデータを選択して、読み込む（Ｓ１０）。この第４メッセージデータは、例えば、「登録データはありません。」というメッセージデータである。
【００４１】
そして、前記エラーメッセージ処理（Ｓ４）のサブルーチン処理が行われ、箱番号が「０１」の掲示板ボックス３２の画像データが読み込まれる（Ｓ３１）。次に、この箱番号「０１」の掲示板ボックス３２から読み込んだ画像データ２０の最初の部分に、この第４メッセージデータを挿入して、エラーメッセージの画像データを作成し（Ｓ３２）、ＲＡＭ３に格納する（Ｓ３３）。そして、このＲＡＭ３に格納した画像データのファイル番号を送信ファイルに設定後、メインフローチャートに戻る（Ｓ３４）。その後、この送信ファイルのメモリ送信が設定される（Ｓ５）。
【００４２】
以上詳細に説明した通り本実施形態に係るファクシミリ装置では、発呼側からの転送命令を検出すると、例えば、その転送命令が掲示板ボックス３２の登録データの転送を要求するものであれば、この転送命令の「メモリボックスの箱番号」、および「転送先の電話番号」がＲＡＭ３に格納され、箱番号チェック（Ｓ１）の処理により「メモリボックスの箱番号」の有効性、即ち指定方法の適否が判断され、その後、箱番号が有効で、且つ、画像データが登録されている掲示板ボックス３２の箱番号である場合は（Ｓ６：ＹＥＳ、Ｓ８：ＹＥＳ）、この掲示板ボックス３２に登録されている画像データが発呼側にメモリ送信される（Ｓ９、Ｓ５）。また、親展ボックス３１の登録データの転送を要求するものであれば、さらに転送命令に「暗証番号」が含まれ、箱番号が有効で、親展ボックス３１の箱番号であって、且つ、暗証番号も一致した場合には（Ｓ１１：ＹＥＳ、Ｓ１３：ＹＥＳ）、この親展ボックス３１に登録されている画像データが発呼側にメモリ送信される（Ｓ９、Ｓ５）。
また、発呼側からの転送命令の「メモリボックスの箱番号」の指定方法が違っている場合には（Ｓ２：ＮＯ）、箱番号の指定方法が無効である旨の第１メッセージデータが、箱番号「０１」の掲示板ボックス３２の画像データ２０の最初の部分に挿入され、この画像データが発呼側に転送される（Ｓ３、Ｓ４、Ｓ５）。  また、転送命令の「メモリボックスの箱番号」が付されたメモリボックスが無い場合には（Ｓ１１：ＮＯ）、指定する箱番号の付されたメモリボックスが無い旨の第２メッセージデータが、箱番号「０１」の掲示板ボックス３２の画像データ２０の最初の部分に挿入され、この画像データが発呼側に転送される（Ｓ１２、Ｓ４、Ｓ５）。
また、転送命令の「暗証番号」が違っている場合には（Ｓ１３：ＮＯ）、指定する暗証番号が一致しない旨の第３メッセージデータが、箱番号「０１」の掲示板ボックス３２の画像データ２０の最初の部分に挿入され、この画像データが発呼側に転送される（Ｓ１４、Ｓ４、Ｓ５）。
さらに、該当する箱番号の付されたメモリボックスに画像データ登録されいていない場合には（Ｓ８：ＮＯ）、指定する箱番号のメモリボックスに画像データが格納されていない旨の第４メッセージデータが、箱番号「０１」の掲示板ボックス３２の画像データ２０の最初の部分に挿入され、この画像データが発呼側に転送される（Ｓ１０、Ｓ４、Ｓ５）。
【００４３】
従って、発呼側は、親展ボックス３１、掲示板ボックス３２から登録データを取り出そうとしてエラーが生じた場合、そのエラーが回線障害によるものではなく、転送命令の指定方法の間違いに基づくものであることを知ることができると共に、箱番号の桁数や使用可能キャラクタ等の指定方法の正確な情報を得ることができるため、箱番号の指定方法等の誤り箇所を修正することができて、当該ファクシミリ装置の希望するメモリボックスに記憶されている画像データを確実に得ることができる。
また、発呼側は、エラーが回線障害によるものではなく、転送命令の指定する箱番号や暗証番号と一致する箱番号や暗証番号の付されたメモリボックスが無いためであることを知ることができると共に、各メモリボックスに付された箱番号の一覧表や登録内容の一覧表等の情報を得ることができるため、箱番号や暗証番号の誤り箇所を修正することができて、当該ファクシミリ装置の希望するメモリボックスに記憶されている画像データを確実に得ることができる。
さらに、発呼側は、転送命令の指定する箱番号が付されたメモリボックスに画像データが登録されていないことを知ることができると共に、各メモリボックスの登録内容の一覧表等の情報を得ることができるため、当該ファクシミリ装置の希望するメモリボックスに記憶されている画像データを確実に得ることができる。
【００４４】
尚、本発明は前記実施形態に限定されることはなく、本発明の要旨を逸脱しない範囲内で種々の改良、変形が可能である。また、前記実施形態では、発呼側からの「箱番号」や「暗証番号」をＤＴＭＦ信号により送信するようになっているが、ファクシミリ装置の伝送制御手順でこれらの情報を指示するようにしてもよい。
【００４５】
【発明の効果】
以上説明した通り請求項１に係るファクシミリ装置では、転送命令検出手段により転送命令を検出した場合に、この転送命令の指定する箱番号の桁数や使用キャラクタ等の間違いのため、この転送命令の指定する箱番号の指定方法が有効でないと判断された場合には、エラーメッセージデータ生成手段により箱番号の指定方法が無効である旨の第１メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の箱番号の指定方法が間違っていてエラーが発生した場合において、箱番号の指定方法が無効である旨のエラーメッセージの画像データが転送されてくるため、そのエラーの原因を知ることができるファクシミリ装置を提供することができる。
【００４６】
また、請求項２に係るファクシミリ装置では、請求項１に記載のファクシミリ装置において、転送命令検出手段により転送命令を検出した場合に、この転送命令の指定する箱番号と一致する箱番号が付されたメモリボックスが無いと判断された場合には、エラーメッセージデータ生成手段により、指定する箱番号の付されたメモリボックスが無い旨の第２メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の指定する箱番号のメモリボックスが無いためにエラーが発生した場合において、指定する箱番号の付されたメモリボックスが無い旨のエラーメッセージの画像データが転送されてくるため、そのエラーの原因を知ることができるファクシミリ装置を提供することができる。
【００４７】
また、請求項３に係るファクシミリ装置では、請求項２に記載のファクシミリ装置において、転送命令検出手段により転送命令を検出した場合に、この転送命令の指定する箱番号と一致する箱番号が付されたメモリボックスが親展ボックスであって、その転送命令の指定する暗証番号がこの親展ボックスに付された暗証番号と一致しないと判断された場合には、エラーメッセージデータ生成手段により、転送命令の指定する暗証番号が一致しない旨の第３メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の指定する暗証番号が一致しないためにエラーが発生した場合において、指定する暗証番号が一致しない旨のエラーメッセージの画像データが転送されてくるため、そのエラーの原因を知ることができるファクシミリ装置を提供することができる。
【００４８】
また、請求項４に係るファクシミリ装置では、請求項３に記載のファクシミリ装置において、転送命令検出手段により転送命令を検出した場合に、この転送命令の指定する箱番号と一致する箱番号が付されたメモリボックスに画像データが格納されていない場合には、エラーメッセージデータ生成手段により、転送命令の指定する箱番号のメモリボックスに画像データが格納されていない旨の第４メッセージデータに基づいてエラーメッセージの画像データが生成される。そして、このエラーメッセージデータ生成手段により生成されたエラーメッセージの画像データのファイル番号が送信ファイル設定手段により送信ファイルとして設定される。その後、送信手段によって送信ファイルが示すファイル番号の画像データが発呼側にメモリ送信される。
これにより、発呼側は、転送命令の指定する箱番号が付されたメモリボックスに画像データが格納されていないためにエラーが発生した場合において、指定する箱番号のメモリボックスに画像データが格納されていない旨のエラーメッセージの画像データが転送されてくるため、そのエラーの原因を知ることができるファクシミリ装置を提供することができる。
【００４９】
また、請求項５に係るファクシミリ装置では、請求項４に記載のファクシミリ装置において、前記第１メッセージデータは、少なくとも前記箱番号の指定方法の説明を含むメッセージデータであるため、発呼側は、転送命令の箱番号の指定方法が間違っていてエラーが発生した場合において、そのエラーの原因を知ることができると共に、箱番号の桁数や使用可能キャラクタ等の指定方法の正確な情報を得ることができるため、箱番号の指定方法の誤り箇所を修正することができると共に、当該ファクシミリ装置から希望するメモリボックスに記憶されている画像データを確実に得ることができるファクシミリ装置を提供することができる。
【００５０】
また、請求項６に係るファクシミリ装置では、請求項５に記載のファクシミリ装置において、前記第３メッセージデータは、少なくとも暗証番号の指定方法の説明を含むメッセージデータであるため、発呼側は、転送命令の指定した親展ボックスの暗証番号の桁数等が間違っている場合において、当該ファクシミリ装置の親展ボックスに付された暗証番号の桁数や使用可能キャラクタ等に関する正確な情報を得ることができるため、転送命令の指定する親展ボックスの暗証番号を修正することができると共に、希望する親展ボックスに格納されている画像データを確実に得ることができるファクシミリ装置を提供することができる。
【００５１】
さらに、請求項７に係るファクシミリ装置では、請求項６に記載のファクシミリ装置において、前記第４メッセージデータは、少なくとも各メモリボックスの登録内容を含むメッセージデータであるため、発呼側は、転送命令の指定する箱番号と一致する箱番号が付されたメモリボックスに画像データが格納されていないことを知ることができると共に、各メモリボックスの登録内容等の正確な情報を得ることができるため、希望する画像データが格納されているメモリボックスの箱番号等を正確に指定することができるファクシミリ装置を提供することができる。
【図面の簡単な説明】
【図１】  本実施形態に係るファクシミリ装置の要部の回路ブロック図である。
【図２】  本実施形態に係るファクシミリ装置の画像転送制御手順を示すメインフローチャートである。
【図３】  本実施形態に係るファクシミリ装置の画像転送制御手順における箱番号チェック処理のサブフローチャートである。
【図４】  本実施形態に係るファクシミリ装置の画像転送制御手順におけるエラーメッセージ処理のサブフローチャートである。
【図５】  本実施形態に係るファクシミリ装置の箱番号が「０１」の掲示板メモリボックスに格納されている画像データの一例を示す図である。
【符号の説明】
１                  ＣＰＵ
２                  ＮＣＵ
３                  ＲＡＭ
３Ａ                親展画像データ記憶エリア
３Ｂ                掲示板画像データ記憶エリア
４                  モデム
６                  ＥＥＰＲＯＭ
【図１】
0003724167.tif 000002
【図２】
0003724167.tif 000003
【図３】
0003724167.tif 000004
【図４】
0003724167.tif 000005
【図５】
0003724167.tif 000006